(57)【要約】【課題】自己吐水モードであることを確実に報知することができる吐水装置を提供する。【解決手段】吐水装置１１は、開閉弁１１Ｃと、開閉弁１１Ｃが設けられた給水路１１Ｂと、給水路１１Ｂから供給された水を吐水する吐水部１１Ａと、開閉弁１１Ｃの開閉を制御する制御部１１Ｄとを備え、制御部１１Ｄが所定の条件が成立すると開閉弁１１Ｃを開き、吐水部１１Ａから吐水する自己吐水モードを実行する。また、吐水装置１１は自己吐水モードを実行することを事前に外部に送信する送信部１１Ｆを備えている。【選択図】図１
2020148016.tif 000002
【特許請求の範囲】
【請求項１】
開閉弁と、前記開閉弁が設けられた給水路と、前記給水路から供給された水を吐水する吐水部と、前記開閉弁の開閉を制御する制御部と、を備え、
前記制御部が所定の条件が成立すると前記開閉弁を開き、前記吐水部から吐水する自己吐水モードを実行する吐水装置であって、
前記自己吐水モードを実行することを事前に外部に送信する送信部を備えていることを特徴とする吐水装置。
【請求項２】
開閉弁と、前記開閉弁が設けられた給水路と、前記給水路から供給された水を吐水する吐水部と、前記開閉弁の開閉を制御する制御部と、を備え、
前記制御部が所定の条件が成立すると前記開閉弁を開き、前記吐水部から吐水する自己吐水モードを実行する吐水装置であって、
前記自己吐水モードの実行中、又は前記自己吐水モードを実行した後であることの少なくともいずれかを外部に送信する送信部を備えていることを特徴とする吐水装置。
【発明の詳細な説明】
【技術分野】
【０００１】
本発明は、吐水装置に関する。
【背景技術】
【０００２】
特許文献１には凍結を防止することができる湯水混合装置が開示されている。この湯水混合装置は、水の温度が所定の温度以下になると、制御器によって湯と水とが所定の比率で混合された混合水を吐水することによって、凍結を防止することができる。
【先行技術文献】
【特許文献】
【０００３】
【特許文献１】特開平２−３７２２９号公報
【発明の概要】
【発明が解決しようとする課題】
【０００４】
しかし、特許文献１の湯水混合装置は凍結を防止するための混合水を吐水することを外部に報知しない。このため、凍結を防止するための吐水を使用者が見た際、なぜ吐水したのか理解できない可能性がある。
【０００５】
本発明は、上記従来の事情に鑑みてなされたものであって、自己吐水モードであることを確実に報知することができる吐水装置を提供することを解決すべき課題としている。
【課題を解決するための手段】
【０００６】
第１発明の吐水装置は、開閉弁と、前記開閉弁が設けられた給水路と、前記給水路から供給された水を吐水する吐水部と、前記開閉弁の開閉を制御する制御部と、を備え、
前記制御部が所定の条件が成立すると前記開閉弁を開き、前記吐水部から吐水する自己吐水モードを実行する吐水装置であって、
前記自己吐水モードを実行することを事前に外部に送信する送信部を備えていることを特徴とする。
【０００７】
第１発明の吐水装置は、自己吐水モードを実行することを事前に外部に送信することによって、自己吐水モードを回避する等の自己吐水モードを実行するか否かの処置を行う機会を設けることができる。また、この吐水装置の使用者等がこの送信を把握することによって、使用者が自己吐水モードによる吐水が故障によるものであると誤解することを防止することができる。
【０００８】
第２発明の吐水装置は、開閉弁と、前記開閉弁が設けられた給水路と、前記給水路から供給された水を吐水する吐水部と、前記開閉弁の開閉を制御する制御部と、を備え、
前記制御部が所定の条件が成立すると前記開閉弁を開き、前記吐水部から吐水する自己吐水モードを実行する吐水装置であって、
前記自己吐水モードの実行中、又は前記自己吐水モードを実行した後であることの少なくともいずれかを外部に送信する送信部を備えていることを特徴とする。
【０００９】
第２発明の吐水装置は、自己吐水モードの実行中、又は自己吐水モードを実行した後であることの少なくともいずれかを外部に送信することによって、使用者に、自己吐水モードによる吐水であることを報知することができる。また、この吐水装置の使用者等がこの送信を把握することによって、使用者が自己吐水モードによる吐水が実行されたことを把握することができる。
【図面の簡単な説明】
【００１０】
【図１】図１は、実施例１の吐水装置を示す断面図である。
【図２】図２は、実施例１の吐水装置の制御部の動作を示すフローチャートである。
【図３】図３は、実施例１の吐水装置の制御部において自己吐水予告信号、自己吐水中信号、及び自己吐水実行後信号の動作を示すタイムチャートである。
【発明を実施するための形態】
【００１１】
本発明における好ましい実施の形態を説明する。
【００１２】
次に、本発明の吐水装置を具体化した実施例１について、図面を参照しつつ説明する。
【００１３】
＜実施例１＞
＜吐水装置の全体構成＞
実施例１の吐水装置１１は、図１に示すように、例えば、洗面台１に設けられた構成をなしている。洗面台１は、洗面ボウル１０、及び吐水装置１１を備えている。洗面台１は、パブリック用（公衆用）として用いることができ、この場合、複数が併設される。
【００１４】
洗面ボウル１０は下方に窪んで形成されている。洗面ボウル１０の底部には、洗面ボウル１０から水を排出する排水口１０Ａが貫通して形成されている。排水口１０Ａの下端には排水路１０Ｂが連通して連結されており下方に延びている。
【００１５】
吐水装置１１は、吐水部１１Ａ、給水路１１Ｂ、開閉弁１１Ｃ、及び制御部１１Ｄを備えている。
吐水部１１Ａは洗面ボウル１０の上端の周縁近傍に設けられている。給水路１１Ｂは吐水部１１Ａに連結されている。吐水部１１Ａは給水路１１Ｂから供給された水を洗面ボウル１０に吐水する。開閉弁１１Ｃは給水路１１Ｂに設けられている。開閉弁１１Ｃは後述する制御部１１Ｄによって開閉される。吐水部１１Ａの先端にはセンサ１１Ｅが設けられている。
【００１６】
制御部１１Ｄは、例えば、マイクロコンピュータ等で構成されている。制御部１１Ｄは、センサ１１Ｅに使用者の体の一部が近づくと使用者の体の一部が近づいたことを認識し、開閉弁１１Ｃを開弁して洗面ボウル１０に吐水する。制御部１１Ｄは、センサ１１Ｅに近づいた使用者の体の一部がセンサ１１Ｅから離れると使用者の体の一部が離れたことを認識し、開閉弁１１Ｃを閉弁する。つまり、制御部１１Ｄは開閉弁１１Ｃの開閉を制御する。
制御部１１Ｄは送信部１１Ｆを有している。送信部１１Ｆは制御部１１Ｄにおける演算の結果を外部に送信し得る構成とされている。送信部１１Ｆから送信された演算の結果は、例えば、使用者が携帯する携帯端末等が受信して、携帯端末が演算の結果を使用者に通知し得る構成とされている。
【００１７】
制御部１１Ｄには建物の外部の温度を検知する温度検知部１１Ｇが電気的に接続されている。温度検知部１１Ｇは、建物の外部に設置されており、設置された場所の温度に対応する電気信号を制御部１１Ｄに出力することができる。制御部１１Ｄは温度検知部１１Ｇから入力される電気信号に基づいて建物の外部の温度を常に監視し得る構成とされている。制御部１１Ｄは、温度検知部１１Ｇから入力される電気信号に基づいて所定の条件が成立するか否かを判別し、所定の条件が成立すると、吐水装置１１が凍結しないようにするために自動的に開閉弁１１Ｃを開き、吐水部１１Ａから吐水する自己吐水モードを実行し得る構成とされている。
【００１８】
＜制御部の動作＞
次に、制御部１１Ｄにおける動作の一例を図２等を参照しつつ説明する。
先ず、制御部１１Ｄは、ステップＳ１において、建物の外部の温度が１℃以下であるかを判別する。ステップＳ１において、建物の外部の温度が１℃より高い（ステップＳ１におけるＮｏ）と判別するとステップＳ２に移行して、自己吐水予告信号をＬレベルに設定し、自己吐水予告信号を送信部１１Ｆから外部に送信し処理を終了する。自己吐水予告信号は、Ｈレベルの場合自己吐水モードを間もなく実行することを示し、Ｌレベルの場合自己吐水モードを間もなく実行しないことを示す。
【００１９】
建物の外部の温度が１℃以下であると判別する（ステップＳ１におけるＹｅｓ）と、制御部１１ＤはステップＳ３に移行して、建物の外部の温度が０℃以下であるかを判別する。ステップＳ３において、建物の外部の温度が０℃より高いと判別する（ステップＳ３におけるＮｏ）と、ステップＳ４に移行して、自己吐水予告信号をＨレベルに設定し、自己吐水予告信号を送信部１１Ｆから外部に送信し処理を終了する。つまり、制御部１１Ｄの送信部１１Ｆは自己吐水モードを実行することを事前に外部に送信する。
【００２０】
ステップＳ３において、建物の外部の温度が０℃以下であると判別する（ステップＳ３におけるＹｅｓ）と、ステップＳ５に移行して、建物の外部の温度が−３℃以下であるかを判別する。ステップＳ５において、建物の外部の温度が−３℃より高いと判別する（ステップＳ５におけるＮｏ）と、ステップＳ６に移行して自己吐水モードである第１自己吐水モードを実行する。第１自己吐水モードは１５分毎に制御部１１Ｄが開閉弁１１Ｃを開弁し、吐水部１１Ａから５秒間吐水し開閉弁１１Ｃを閉弁する。自己吐水予告信号はＬレベルに設定される。
【００２１】
第１自己吐水モードを実行中、開閉弁１１Ｃを開弁している間、制御部１１Ｄは送信部１１Ｆから外部に対して吐水中であることを送信する。例えば、制御部１１ＤはステップＳ６において、自己吐水中信号を送信部１１Ｆから外部に送信し得る構成とされている。自己吐水中信号は、Ｌレベルである場合吐水中でないことを示し、Ｈレベルである場合吐水中であることを示す。制御部１１Ｄは開閉弁１１Ｃが開弁している間、自己吐水中信号をＬレベルからＨレベルに切り替え、開閉弁１１Ｃが閉弁している場合にはＨレベルからＬレベルに切り替える。
【００２２】
ステップＳ６において、制御部１１Ｄは自己吐水中信号に基づいて自己吐水実行後信号を送信部１１Ｆから外部に送信し得る構成とされている。自己吐水実行後信号は自己吐水中信号がＨレベルからＬレベルに切り替わる変化に応じてＬレベルからＨレベルに切り替えられる。また、自己吐水実行後信号は自己吐水中信号がＬレベルからＨレベルに切り替わる変化に応じてＨレベルからＬレベルに切り替えられ得る構成とされている。自己吐水実行後信号は自己吐水モードが実行されたか否かを示す信号である。制御部１１Ｄの送信部１１Ｆは自己吐水モードの実行中、及び自己吐水モードを実行した後であることを外部に送信する。こうしてステップＳ６における処理は終了する。
なお、自己吐水モードの実行中に、例えば使用者の操作によって吐水部１１Ａから吐水された場合、自己吐水実行後信号をＬレベルに設定する構成としてもよい。
【００２３】
ステップＳ５において、建物の外部の温度が−３℃以下であると判別する（ステップＳ５におけるＹｅｓ）と、ステップＳ７に移行して、建物の外部の温度が−５℃以下であるかを判別する。ステップＳ７において、建物の外部の温度が−５℃より高いと判別する（ステップＳ７におけるＮｏ）と、ステップＳ８に移行して自己吐水モードである第２自己吐水モードを実行する。第２自己吐水モードは３分毎に制御部１１Ｄが開閉弁１１Ｃを開弁し、吐水部１１Ａから５秒間吐水し開閉弁１１Ｃを閉弁する。
【００２４】
第２自己吐水モードを実行中、自己吐水中信号は、開閉弁１１Ｃを開弁している間、Ｈレベルに切り替えられて送信部１１Ｆから外部に送信され、開閉弁１１Ｃが閉弁している間、ＨレベルからＬレベルに切り替えられて送信部１１Ｆから外部に送信される。
第２自己吐水モードを実行中、自己吐水実行後信号は、自己吐水中信号がＨレベルからＬレベルに切り替わる変化に応じて、ＬレベルからＨレベルに切り替えられて送信部１１Ｆから外部に送信され、自己吐水中信号がＬレベルからＨレベルに切り替わる変化に応じて、ＨレベルからＬレベルに切り替えられて送信部１１Ｆから外部に送信される。こうしてステップＳ８における処理は終了する。
【００２５】
ステップＳ７において、建物の外部の温度が−５℃以下であると判別する（ステップＳ７におけるＹｅｓ）と、ステップＳ９に移行して自己吐水モードである第３自己吐水モードを実行する。第３自己吐水モードは１分毎に制御部１１Ｄが開閉弁１１Ｃを開弁し、吐水部１１Ａから５秒間吐水し開閉弁１１Ｃを閉弁する。
【００２６】
第３自己吐水モードを実行中、自己吐水中信号は、開閉弁１１Ｃを開弁している間、Ｈレベルに切り替えられて送信部１１Ｆから外部に送信され、開閉弁１１Ｃが閉弁している間、ＨレベルからＬレベルに切り替えられて送信部１１Ｆから外部に送信される。
第３自己吐水モードを実行中、自己吐水実行後信号は、自己吐水中信号がＨレベルからＬレベルに切り替わる変化に応じて、ＬレベルからＨレベルに切り替えられて送信部１１Ｆから外部に送信され、自己吐水中信号がＬレベルからＨレベルに切り替わる変化に応じて、ＨレベルからＬレベルに切り替えられて送信部１１Ｆから外部に送信される。こうしてステップＳ９における処理は終了する。
【００２７】
＜自己吐水予告信号、自己吐水中信号、及び自己吐水実行後信号の変化＞
次に、外気温の変化に伴う、自己吐水予告信号、自己吐水中信号、及び自己吐水実行後信号の変化の一例について図３等を参照しつつ説明する。
【００２８】
外気温が１℃より高い（図２におけるステップＳ１のＮｏ）場合、制御部１１Ｄは自己吐水予告信号をＬレベルに設定して送信部１１Ｆから外部に送信する（図２におけるステップＳ２）。
そして、外気温が徐々に下がり、時刻Ｔ１に１℃に到達する（図２におけるステップＳ１のＹｅｓ）。そして、外気温が０℃より高い（図２におけるステップＳ３のＮｏ）と、制御部１１Ｄは自己吐水予告信号をＨレベルに設定して送信部１１Ｆから外部に送信する（図２におけるステップＳ４）。
そして、外気温がさらに下がり、時刻Ｔ２に０℃に到達する（図２におけるステップＳ３のＹｅｓ）。そして、外気温が−３℃より高い（図２におけるステップＳ５のＮｏ）と、制御部１１Ｄは、第１自己吐水モードを実行すると共に、自己吐水予告信号をＬレベルに設定する（図２におけるステップＳ６）。具体的には、時刻Ｔ２に０℃に到達すると、制御部１１Ｄは開閉弁１１Ｃを開弁し、吐水部１１Ａから５秒間吐水し開閉弁１１Ｃを閉弁する。第１自己吐水モードは１５分毎に吐水部１１Ａから５秒間吐水することを繰り返す。
【００２９】
第１自己吐水モードを実行中、自己吐水中信号は、開閉弁１１Ｃを開弁している間、Ｈレベルに切り替えられて送信部１１Ｆから外部に送信され、開閉弁１１Ｃが閉弁している間、ＨレベルからＬレベルに切り替えられて送信部１１Ｆから外部に送信される。
第１自己吐水モードを実行中、自己吐水実行後信号は、自己吐水中信号がＨレベルからＬレベルに切り替わる変化に応じて、ＬレベルからＨレベルに切り替えられて送信部１１Ｆから外部に送信され、自己吐水中信号がＬレベルからＨレベルに切り替わる変化に応じて、ＨレベルからＬレベルに切り替えられて送信部１１Ｆから外部に送信される。
【００３０】
外気温がさらに下がり時刻Ｔ３に−３℃に到達する（図２におけるステップＳ５のＹｅｓ）。そして、外気温が−５℃より高い（図２におけるステップＳ７のＮｏ）と、制御部１１Ｄは第２自己吐水モードを実行する（図２におけるステップＳ８）。具体的には、時刻Ｔ３に−３℃に到達すると、制御部１１Ｄは開閉弁１１Ｃを開弁し、吐水部１１Ａから５秒間吐水し開閉弁１１Ｃを閉弁する。第２自己吐水モードは３分毎に吐水部１１Ａから５秒間吐水することを繰り返す。
【００３１】
第２自己吐水モードを実行中、自己吐水中信号は、開閉弁１１Ｃを開弁している間、Ｈレベルに切り替えられて送信部１１Ｆから外部に送信され、開閉弁１１Ｃが閉弁している間、ＨレベルからＬレベルに切り替えられて送信部１１Ｆから外部に送信される。
第２自己吐水モードを実行中、自己吐水実行後信号は、自己吐水中信号がＨレベルからＬレベルに切り替わる変化に応じて、ＬレベルからＨレベルに切り替えられて送信部１１Ｆから外部に送信され、自己吐水中信号がＬレベルからＨレベルに切り替わる変化に応じて、ＨレベルからＬレベルに切り替えられて送信部１１Ｆから外部に送信される。
【００３２】
外気温がさらに下がり時刻Ｔ４に−５℃に到達する（図２におけるステップＳ７のＹｅｓ）と、制御部１１Ｄは第３自己吐水モードを実行する（図２におけるステップＳ９）。具体的には、時刻Ｔ４に−５℃に到達すると、制御部１１Ｄは開閉弁１１Ｃを開弁し、吐水部１１Ａから５秒間吐水し開閉弁１１Ｃを閉弁する。第３自己吐水モードは１分毎に吐水部１１Ａから５秒間吐水することを繰り返す。
【００３３】
第３自己吐水モードを実行中、自己吐水中信号は、開閉弁１１Ｃを開弁している間、Ｈレベルに切り替えられて送信部１１Ｆから外部に送信され、開閉弁１１Ｃが閉弁している間、ＨレベルからＬレベルに切り替えられて送信部１１Ｆから外部に送信される。
第３自己吐水モードを実行中、自己吐水実行後信号は、自己吐水中信号がＨレベルからＬレベルに切り替わる変化に応じて、ＬレベルからＨレベルに切り替えられて送信部１１Ｆから外部に送信され、自己吐水中信号がＬレベルからＨレベルに切り替わる変化に応じて、ＨレベルからＬレベルに切り替えられて送信部１１Ｆから外部に送信される。
【００３４】
次に、外気温が上がり時刻Ｔ５に−５℃より高くなる（図２におけるステップＳ７のＮｏ）と、制御部１１Ｄは第２自己吐水モードを実行する（図２におけるステップＳ８）。
さらに、外気温が上がり時刻Ｔ６に−３℃より高くなる（図２におけるステップＳ５のＮｏ）と、制御部１１Ｄは第１自己吐水モードを実行する（図２におけるステップＳ６）。
さらに、外気温が上がり時刻Ｔ７に０℃より高くなる（図２におけるステップＳ３のＮｏ）と、制御部１１Ｄは自己吐水予告信号をＨレベルに設定する（図２におけるステップＳ４）。
さらに、外気温が上がり時刻Ｔ８に１℃より高くなる（図２におけるステップＳ１のＮｏ）と、制御部１１Ｄは自己吐水予告信号をＬレベルに設定する（図２におけるステップＳ２）。
【００３５】
このように、吐水装置１１は、自己吐水モードを実行することを事前に外部に送信することによって、自己吐水モードを回避する等の処置を行う機会を設けることができる。また、吐水装置１１の使用者等がこの送信を把握することによって、使用者が自己吐水モードによる吐水が故障によるものであると誤解することを防止することができる。
【００３６】
また、吐水装置１１は、自己吐水モードの実行中、又は自己吐水モードを実行した後であることの少なくともいずれかを外部に送信することによって、吐水装置１１の使用者に、自己吐水モードによる吐水であることを報知することができる。また、吐水装置１１の使用者等がこの送信を把握することによって、使用者が自己吐水モードによる吐水が実行されたことを把握することができる。
【００３７】
本発明は上記記述及び図面によって説明した実施例１に限定されるものではなく、例えば次のような実施例も本発明の技術的範囲に含まれる。
（１）実施例１では、吐水装置が洗面台に設けられているが、キッチン用のシンク、水洗式の小便器、又は水洗式の大便器等に吐水装置を設けてもよい。
（２）実施例１では、制御部が温度検知部によって外部の温度を把握しているが、制御部にタイマー等の時間を計測する機能を付与してもよい。制御部はタイマーによって、凍結する機会が増える冬季や夜間等に自己吐水モードを実行するように設定してもよい。
（３）実施例１では、自己吐水予告信号、自己吐水中信号、及び自己吐水実行後信号を外部に送信しているが、これらの内のいずれかを外部に送信する構成としてもよい。
【００３８】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００３９】
１１…吐水装置
１１Ａ…吐水部
１１Ｂ…給水路
１１Ｃ…開閉弁
１１Ｄ…制御部
１１Ｆ…送信部
【図１】
2020148016.tif 000003
【図２】
2020148016.tif 000004
【図３】
2020148016.tif 000005